(57)【要約】      （修正有）【課題】受取人等が留守の場合でも配達業者が配達物を届けることができるドアの施解錠システムを提供する。【解決手段】ドアの施解錠システム１は、ドアの施錠及び解錠をすることが可能な施解錠ユニット１０ａと、ドアの施錠及び解錠をすることが可能な施解錠ユニット１０ｂと、を備えている。施解錠ユニット１０ａ及び施解錠ユニット１０ｂは、通信部と扉の施錠及び解錠の動作を実行する開閉駆動部を有し、施解錠ユニット１０ａは、ドア１００に設けられ、施解錠ユニット１０ｂは、ドア２００に設けられる。ドア１００のみの解錠を行うことが可能なユーザーキーがあり、ドア１００及びドア２００の施錠及び解錠を行うことが可能なマスターキーがある。【選択図】図２
2020139391.tif 000002
【特許請求の範囲】
【請求項１】
扉の施錠及び解錠をすることが可能な第一の施解錠ユニットと、
扉の施錠及び解錠をすることが可能な第二の施解錠ユニットと、を備え、
前記第一の施解錠ユニット及び前記第二の施解錠ユニットは、通信部と扉の施錠及び解錠の動作を実行する開閉駆動部を有し、
前記第一の施解錠ユニットは、第一の扉に設けられ、
前記第二の施解錠ユニットは、第二の扉に設けられ、
前記第一の扉のみの解錠を行うことが可能なユーザーキーがあり、
前記第一の扉及び前記第二の扉の施錠及び解錠を行うことが可能なマスターキーがあり、
前記第一の施解錠ユニットにおいて、前記第二の扉の施錠及び解錠に同期して前記第一の扉の施錠及び解錠が自動的に行われる、扉の施解錠システム。
【発明の詳細な説明】
【技術分野】
【０００１】
本発明は、ドアの施解錠システムに関する。
【背景技術】
【０００２】
従来、電子キーを用いた建物のドアの施解錠システムがある（例えば、特許文献１）。また、住宅の玄関口やオフィスの入り口付近に配置する宅配・集荷ボックスがある（特許文献２）。
【先行技術文献】
【特許文献】
【０００３】
【特許文献１】特開２０１８−１１５４４６号公報
【特許文献２】特開２０１１−４１７１７号公報
【発明の概要】
【発明が解決しようとする課題】
【０００４】
近年、インターネット等を介した通信販売の増加に伴い、個人宅への再配達の増加による人材不足やサービスの質の低下が社会的な問題となっている。しかし、特許文献１に示す技術を用いることで、受取人等が留守の場合でも、配達業者が配達物を届けに来た際に、受取人等が遠隔で玄関ドアの施解錠を行うことで配達物を受け取ることが可能であるが、留守の場合に配達業者に住宅の中に進入させるため、プライバシーや安全面において問題がある。特許文献２に示す技術を用いることで、住宅の玄関口やオフィスの入り口付近に配置する宅配・集荷ボックスを設けることで、受取人が留守の場合でも配達物を受け取ることが可能であるが、送られてくる配達物が大きい場合に宅配・集荷ボックスに入りきらないという問題を抱えている。
【０００５】
本発明の目的は、受取人等が留守の場合でも配達業者が配達物を届けることができるドアの施解錠システムを提供することである。
【課題を解決するための手段】
【０００６】
上記目的は、
物理キー、リモコンキー、ＩＣカードキー、磁気カードキー、バーコードキーや２次元コードキー、暗証番号キー、生体認証キーのうちの少なくとも一つに基づいて扉の施錠及び解錠をすることが可能な第一の施解錠ユニット（１０ａ）と、
物理キー、リモコンキー、ＩＣカードキー、磁気カードキー、バーコードキーや２次元コードキー、暗証番号キー、生体認証キーの少なくとも一つに基づいて扉の施錠及び解錠をすることが可能な第二の施解錠ユニット（１０ｂ）と、を備え、
前記第一の施解錠ユニット及び前記第二の施解錠ユニットは、通信部（１２ａ、１２ｂ）と扉の施錠及び解錠の動作を実行する開閉駆動部（１４ａ、１４ｂ）を有し、
前記第一の施解錠ユニットは、第一の扉（１００）に設けられ、
前記第二の施解錠ユニットは、第二の扉（２００）に設けられ、
前記第一の扉のみの解錠を行うことが可能なユーザーキー（２０ｂ）があり、
前記第一の扉及び前記第二の扉の施錠及び解錠を行うことが可能なマスターキー（２０ａ）があり、
前記第一の扉は、配達物を保管する倉庫（３７０）の入口、又は宅配ボックスに設けられ、
前記第二の扉は、住居（３３０）の入口に設けられ、
前記第一の施解錠ユニットにおいて、前記第二の扉の施錠及び解錠に同期して前記第一の扉の施錠及び解錠が自動的に行われる、扉の施解錠システム、
によって達成される。
【発明の効果】
【０００７】
本発明によれば、受取人等が留守の場合でも配達業者が再配達をすることなく配達物を届けることができるドアの施解錠システムを提供することができる。
【図面の簡単な説明】
【０００８】
【図１】本発明の実施形態によるドアの施解錠システム１に用いるドア１００、２００を説明する図である。
【図２】本発明の実施形態によるドアの施解錠システム１に用いるドア１００とドア２００の設置状態を説明する図である。
【図３】本発明の実施形態によるドアの施解錠システム１のシステム構成図である。
【図４】本発明の実施形態によるドアの施解錠システム１に用いる施解錠ユニット１０ａ、１０ｂの構成を説明する機能ブロック図である。
【図５】本発明の実施形態によるドアの施解錠システム１に用いるドア１００とドア２００を設置した建物の平面図である。
【図６】本発明の実施形態によるドアの施解錠システム２に用いるドア１００とドア２００を設置した建物の平面図である。
【発明を実施するための形態】
【０００９】
以下、図１〜図５を用いて、本発明の実施形態によるドアの施解錠システム１を説明する。なお、以下の全ての図面においては、理解を容易にするため、各構成要素の寸法や比率などは適宜異ならせて図示している。
【００１０】
図１は、ドアの施解錠システム１に用いるドア１００、２００の裏面図である。図１に示すように、ドア１００は、施解錠ユニット１０ａを有し、ドア２００は、施解錠ユニット１０ｂを有している。施解錠ユニット１０ａは、ドア１００の施錠及び解錠を行うユニットであり、施解錠ユニット１０ｂは、ドア２００の施錠及び解錠を行うユニットである。また、施解錠ユニット１０ａ、１０ｂは、既存のドアに後付けすることも可能である。
【００１１】
図２を用いて、ドアの施解錠システム１に用いるドア１００、２００の設置状態を説明する。ドアの施解錠システム１に用いるドア１００、２００は、建物の出入口に設ける。本実施形態では、ドア１００、２００は、住宅の玄関に設けられる風除室３００の二つの出入り口にそれぞれ設けられる。ドア１００は、屋外側に設けられ、ドア２００は、屋内側に設けられる。なお、ドア１００、２００は、風除室３００以外に設けられる場合があってもよい。ドア１００とドア２００は、建物内にある同一の室の出入り口にそれぞれ設けられ、かつドア１００は、屋外に面していればよい。
【００１２】
図３を用いて、ドアの施解錠システム１のシステム構成を説明する。図３は、ドア１００、２００に設けられる施解錠ユニット１０ａ、１０ｂのシステム構成図である。施解錠ユニット１０ａ、１０ｂと端末４０は、インターネット及びルータ３０を介して、通信可能に構成される。また、施解錠ユニット１０ａと施解錠ユニット１０ｂは、ルータ３０を介さないで、直接的に通信可能であり、施解錠ユニット１０ａ、１０ｂと端末４０は、インターネット及びルータ３０を介さないでも、直接的に通信可能に構成される。なお、端末４０は、専用端末であってもよいし、所定のアプリケーションがインストールされた端末（例えば、スマートフォン、タブレット、パソコン等）であってもよい。また、端末４０とは別に屋内に設けられた端末を用いて、直接的に施解錠ユニット１０ａ、１０ｂを制御してもよい。例えば、屋内に設けられた端末を用いた遠隔操作によって、ドア１００のみを解錠し、或いは、ドア１００、２００の両方を解錠してもよい。
【００１３】
施解錠ユニット１０ａ、１０ｂの管理権限を有する管理者は、端末４０を用いて、ユーザーキー２０ｂを発行し、更に、他人にユーザーキー２０ｂを貸与することができる。ユーザーキー２０ｂは、ドア１００の解錠のみを行うことが可能であり、ドア２００の解錠を行うことが不可能である。ユーザーキー２０ｂは、バーコードキーや２次元コードキー、暗証番号キー等である。また、端末４０は、他人が所有する端末に、発行したユーザーキー２０ｂを、インターネットを介し、メール等で送信することができる。なお、端末４０によって発行したユーザーキー２０ｂをサーバーに保存し、ユーザーキー２０ｂを受け取る者が当該サーバーにアクセスし、所定の手順（ログインＩＤ、パスワードの入力等）を得て、ユーザーキー２０ｂを取得する構成であってもよい。
【００１４】
施解錠ユニット１０ａ、１０ｂの管理権限を有する管理者は、ユーザーキー２０ｂが使用できる期間と回数を設定することができる。例えば、配達業者が配達時間を指定している場合には、この配達時間内において、ユーザーキー２０ｂが１回のみ使用可能となるように設定してもよい。また、施解錠ユニット１０ａは、ユーザーキー２０ｂが使用されてドア１００の開閉が行われると、所定時間が経過後にドア１００の施錠を自動的に行うように構成されてもよい。また、施解錠ユニット１０ａ、１０ｂの管理権限を有する管理者は、端末４０を用いて、ドア１００、２００の施錠及び解錠を行うこともできる。
【００１５】
マスターキー２０ａは、物理キー、リモコンキー、ＩＣカードキー、磁気カードキー、バーコードキーや２次元コードキー、暗証番号キー、生体認証キーのうちの少なくとも一つで構成されてもよい。本実施形態では、カギ形状の物理キーと所定の符号を発信するリモコンキーで構成される。
【００１６】
マスターキー２０ａを用いてドア１００の解錠を行うと、自動的にドア２００の解錠が行われるように構成される。例えば、マスターキー２０ａでドア１００の解錠を行うと、施解錠ユニット１０ａから施解錠ユニット１０ｂに、ドア２００を解錠するコードが送信される。同様に、マスターキー２０ａでドア１００の施錠を行うと、施解錠ユニット１０ａから施解錠ユニット１０ｂに、ドア２００を施錠するコードが送信される。なお、マスターキー２０ａのリモコンキーを用いた場合には、当該リモコンキーから、施解錠ユニット１０ａ、１０ｂに、ドア２００を施錠または解錠するコードが送信されてもよい。
【００１７】
また、施解錠ユニット１０ａ、１０ｂは、ルータ３０を介してインターネットに繋がっているため、施解錠ユニット１０ａ、１０ｂの動作履歴をリアルタイムで端末４０や所定のサーバー等に保存することも可能である。さらに、監視カメラと連動させることで、不正な方法で施解錠ユニット１０ａ、１０ｂの動作が確認された場合には、この監視カメラの映像をリアルタイムで端末４０や所定のサーバーに送信させてもよい。また、施解錠ユニット１０ａとインターホンを連動させてもよい。ドア１００がユーザーキー２０ｂで開けられた場合に、通常時の呼鈴とは異なる音を用いてドア１００がユーザーキー２０ｂで開けられたことを報知してもよい。
【００１８】
図４を用いて、施解錠ユニット１０ａ、１０ｂの構成を説明する。図４は、施解錠ユニット１０ａ、１０ｂの機能ブロック図である。
【００１９】
図４に示すように、施解錠ユニット１０ａは、ＣＰＵ１１ａ、通信部１２ａ、メモリ１３ａ、開閉駆動部１４ａ、及びインターフェース１５ａを有し、施解錠ユニット１０ｂは、ＣＰＵ１１ｂ、通信部１２ｂ、メモリ１３ｂ、開閉駆動部１４ｂ、及びインターフェース１５ｂを有している。また、施解錠ユニット１０ａと施解錠ユニット１０ｂは、電源４０を電力源としている。なお、施解錠ユニット１０ａと施解錠ユニット１０ｂは、それぞれ別の電源を用いるように構成されてもよい。
【００２０】
通信部１２ａは、ルータ３０との間で、有線や無線で通信を行うことが可能な電子部品で構成される。通信部１２ｂは、ルータ３０との間で、有線や無線で通信を行うことが可能な電子部品で構成される。また、通信部１２ａと通信部１２ｂは、ルータ３０を介さないで、有線や無線で通信を行うことが可能である。さらに、通信部１２ａ、１２ｂは、マスターキー２０ａのリモコンキーから発信される電磁波を受信することも可能である。なお、通信部１２ａ、１２ｂの少なくとも一つにルータ機能を備える構成であってもよい。
【００２１】
メモリ１３ａには、施解錠ユニット１０ａの制御プログラムが保存される。メモリ１３ｂには、施解錠ユニット１０ｂの制御プログラムが保存される。メモリ１３ａ、１３ｂには、マスターキー２０ａやユーザーキー２０ｂの情報やユーザーキー２０ｂが使用可能な条件（例えば、使用回数や使用可能の時間等）の情報が保存される。なお、メモリ１３ｂには、ユーザーキー２０ｂの情報が保存されなくてもよい。ユーザーキー２０ｂで施解錠ユニット１０ｂが設けられたドア２００の施錠及び解錠を行うことがないからである。また、施解錠ユニット１０ａ、１０ｂの制御プログラムは、インターネットを介してインストールや削除が可能であり、定期的にバージョンアップされる。また、マスターキー２０ａやユーザーキー２０ｂの情報は、管理者権限を有する管理者が端末４０の操作や所定のサーバーにアクセスすることで管理、運営される。
【００２２】
開閉駆動部１４ａは、ドア１００を施錠する施錠部と当該施錠部の開閉動作を行う動作部で構成される。開閉駆動部１４ｂは、ドア２００を施錠する施錠部と当該施錠部の開閉動作を行う動作部で構成される。開閉駆動部１４ａ、１４ｂの動作部は、電動モータや電動アクチュエータを有する構成である。また、マスターキー２０ａの物理キーを用いた場合には開閉駆動部１４ａ、１４ｂの動作部を用いないで開閉駆動部１４ａ、１４ｂの施錠部の開閉動作が行われる構成である。また、開閉駆動部１４ａ、１４ｂの施錠部にはセンサが設けられ、当該センサの情報がＣＰＵ１１ａ、１１ｂを介して、メモリ１３ａ、１３ｂに、時間情報が付加されて保存される。このため、不正な手段を用いてドア１００、２００の解錠が行われた場合を検出することが可能である。また、マスターキー２０ａの物理キーを用いドア１００の施錠及び解錠が行われたことを当該センサが検出すると、ＣＰＵ１１ａは、通信部１２ａを介して、通信部１２ｂにドア２００の施錠及び解錠を行うコードを送信し、ＣＰＵ１１ｂは、当該コマンドに基づいて、開閉駆動部１４ｂを制御する。
【００２３】
インターフェース１５ａ、１５ｂは、マスターキー２０ａやユーザーキー２０ｂを使用するためのインターフェースであり、リモコンキーやＩＣカードキーや磁気カードキーやバーコードキーや２次元コードキーや生体認証キーを入力するためのインターフェースである。また、インターフェース１５ａ、１５ｂは、マスターキー２０ａの物理キーのカギ穴を備えている。
【００２４】
ＣＰＵ１１ａは、メモリ１３ａに保存されている制御プログラムを実行することで、通信部１２ａ、開閉駆動部１４ａ、インターフェース１５ａを制御する。開閉駆動部１４ａによるドア１００の施錠及び解錠は、インターフェース１５ａの情報に基づいて実行される場合と通信部１２ｂの情報に基づいて実行される場合とがある。ＣＰＵ１１ｂは、メモリ１３ｂに保存されている制御プログラムを実行することで、通信部１２ｂ、開閉駆動部１４ｂ、インターフェース１５ｂを制御する。開閉駆動部１４ｂによるドア２００の施錠及び解錠は、インターフェース１５ｂの情報に基づいて実行される場合と通信部１２ｂの情報に基づいて実行される場合とがある。
【００２５】
次いで、図５を用いて、ドア１００とドア２００を設置した建物の施工例を説明する。図５（ａ）〜（ｄ）は、ドア１００とドア２００を設置した建物の平面図である。図５（ａ）は、建物３３０の内部に、ドア１００、２００を設けた室３００を設置した建物（住居）３３０の平面図である。ドア１００は、建物３３０の玄関ドアとして機能する。また、室３００の左右には、引戸等で仕切られた物置室１５０がそれぞれ設けられる。図５（ｂ）は、建物３３０の玄関口にドア１００、２００を設けた室３００を設置した建物３３０の平面図である。ドア２００は、建物３３０の玄関ドアとして機能する。また、室３００の右には、引戸等で仕切られた物置室１５０が設けられる。図５（ｃ）は、建物３３０の玄関ドア２５０とは別の勝手口に、ドア１００、２００を設けた室３００を設置した建物３３０の平面図である。図５（ｄ）は、建物３３０に隣接した倉庫３５０の入り口に、ドア１００、２００を設けた室３００を設置した建物３３０、倉庫３５０の平面図である。本発明の実施形態によるドアの施解錠システム１に用いるドア１００、２００は、上述や上述以外において用いることが可能である。
【００２６】
本発明の実施形態によるドアの施解錠システム１は、以下のように運用するのが好適である。
（あ）荷受人は、予め、配達時間において留守であることがわかっている場合
ａ．荷受人は、所定のアプリケーションがインストールされた端末４０を用いて、ユーザーキー２０ｂを発行し、配達業者にユーザーキー２０ｂを送信する。
ｂ．配達業者の担当者は、ユーザーキー２０ｂを用いて、ドア１００の解錠を行い、風除室３００に配達物を保管する。
ｃ．配達業者の担当者がドア１００を閉め、所定の時間が経過した後に自動的にドア１００の施錠が行われる。なお、ドア１００の施錠が行われない場合には、ユーザーキー２０ｂが送信された端末に、ドア１００の施錠が行われていない旨を送信してもよい。
ｄ．荷受人は、帰宅時に風除室３００に保管されている配達物を受け取り、端末４０を用いて、配達業者に荷受したことを知らせる。
（い）荷受人は、予め、配達時間において留守であることがわかっていない場合
ａ．配達業者の担当者は、荷受人等が留守であることを荷受人に電話、メール、若しくは所定のアプリケーションを用いて知らせる。
ｂ．荷受人は、当該担当者が所持している端末に、ユーザーキー２０ｂを送信する。
ｃ．配達業者の担当者は、ユーザーキー２０ｂを用いて、ドア１００の解錠を行い、風除室３００に配達物を保管する。
ｄ．配達業者の担当者がドア１００を閉め、所定の時間が経過した後に自動的にドア１００の施錠が行われる。なお、ドア１００の施錠が行われない場合には、ユーザーキー２０ｂが送信された端末に、ドア１００の施錠が行われていない旨を送信してもよい。
ｅ．荷受人は、帰宅時に風除室３００に保管されている配達物を受け取り、端末４０を用いて、配達業者に荷受したことを知らせる。
（う）予め、荷受人と配達業者がユーザーキー２０ｂの貸与の契約をしている場合
ａ．荷受人は、配達業者にユーザーキー２０ｂの貸与を行う。なお、ユーザーキー２０ｂは、配達業者と荷受人で共有され、毎日変更される。
ｂ．荷受人への配達があると、配達業者の担当者は、荷受人等が留守である場合に、ユーザーキー２０ｂを用いて、ドア１００の解錠を行い、風除室３００に配達物を保管する。なお、荷受人への配達がない場合には、ユーザーキー２０ｂは、配達業者の担当者が所有する端末に送信されない。
ｃ．配達業者の担当者がドア１００を閉め、所定の時間が経過した後に自動的にドア１００の施錠が行われる。なお、ドア１００の施錠が行われない場合には、ユーザーキー２０ｂが送信された端末に、ドア１００の施錠が行われていない旨を送信してもよい。
ｄ．荷受人は、帰宅時に風除室３００に保管されている配達物を受け取り、端末４０を用いて、配達業者に荷受したことを知らせる。
【００２７】
本発明の実施形態によるドアの施解錠システム１は、以下の効果を奏する。
（あ）ユーザーキー２０ｂを他人に貸与しても、ユーザーキー２０ｂではドア２００の解錠を行うことができないため、管理者は安心して他人にユーザーキー２０ｂを貸与できる。
（い）ドア１００とドア２００は、建物玄関に設けられた風除室３００に設けられるため、荷受人が配達物を受け取るための負担が軽減される。集配ボックを使用した場合は、集配ボックスを開けて取出す手間がある。
（う）マスターキー２０ａでドア１００の施錠及び解錠を行うと、自動的にドア２００の施錠及び解錠が行われるため、ドアの施錠及び解錠を行う負担が軽減される。
（え）荷受人が家に居る場合でも、ユーザーキー２０ｂを配達業者に貸与することや所定の端末操作でドア１００の開閉することで、配達業者と顔を合わせる必要がない。
（お）監視カメラと施解錠ユニット１０ａを連動させることで、ドア１００の開閉時を録画することができるため、安全性が確保される。
【００２８】
次いで、本発明の実施形態によるドアの施解錠システム２を説明する。また、上述の構成と同じ構成については、符号を同一にすることで、その説明を省略する場合がある。
【００２９】
本発明の実施形態によるドアの施解錠システム２は、施解錠ユニット１０ａを有するドア１００、及び施解錠ユニット１０ｂを有するドア２００で構成される。施解錠システム２は、ドア１００の施解錠がドア２００の施解錠に同期して自動で行われるシステムである。ドアの施解錠システム２において、施解錠ユニット１０ａ、１０ｂは、上述の施解錠システム１において実行される制御プログラムに加えて、以下の動作を実行可能とする制御プログラムが内蔵されている。
（１）施解錠ユニット１０ｂのＣＰＵ１１ｂは、開閉駆動部１４ｂの施錠部の開閉動作を検知し、通信部１２ｂを介して施解錠ユニット１０ａの通信部１２ａに開閉駆動部１４ｂの施錠部の開閉動作の検知信号を送信する。
（２）施解錠ユニット１０ａのＣＰＵ１１ａは、上記の開閉動作の検知信号を受信すると当該開閉動作の検知信号に基づいて開閉駆動部１４ａの動作部を制御する。
【００３０】
図６を用いて、ドアの施解錠システム２に用いるドア１００、２００の設置状態を説明する。ドアの施解錠システム２に用いるドア１００、２００は、建物の出入口に設けられる。図６（ａ）に示すように、ドアの施解錠システム２に用いるドア２００は、建物３３０の出入口に設けられ、ドア１００は、建物（住居）３３０に設けられた倉庫３７０の出入口に設けられる。図６（ｂ）に示すように、ドアの施解錠システム２に用いるドア２００は、建物３３０の出入口に設けられ、ドア１００は、建物３３０とは別に設けられた倉庫３７０の出入口に設けられる。なお、倉庫３７０は、仕切り壁によって、前室と後室に仕切られる構成であってもよい。倉庫３７０の出入口に施解錠ユニット１０ａを有するドア１００が設けられ、倉庫３７０内に設けられた仕切り壁の出入口に施解錠ユニット１０ｂを有するドア２００が設けられてもよい。なお、ドア１００は、建物の出入口以外に設けられてもよい。例えば、ドア１００は、宅配ボックスの扉として設けられてもよい。
【００３１】
本発明の実施形態によるドアの施解錠システム２は、以下のように運用するのが好適である。
（１）倉庫３７０は、留守の際に配達物を受取り保管するために用いる。
（２）荷受人が留守の場合には、配達業者は貸与されたユーザーキー２０ｂを用いて、倉庫３７０に設けられたドア１００を解錠し、配達物を保管する。
（３）荷受人は、帰宅の際にマスターキー２０ａを用いて、ドア１００を解錠し、配達物を倉庫３７０から取出してもよいし、マスターキー２０ａを用いてドア２００を解錠し、配達物を倉庫３７０から取出してもよい。なお、マスターキー２０ａを用いてドア１００を解錠すると、上述の施解錠システム１に用いられる制御プログラムによって、自動的にドア２００の解錠が行われる場合があってもよい。
【００３２】
本発明の実施形態によるドアの施解錠システム２は、以下の効果を奏する。
（あ）ドア１００の解錠がドア２００の解錠に同期して自動で行われるため、荷受人は、住居から倉庫に移動する際に、ドア１００の解錠のためのキーを持たなくてもよい。
（い）荷受人は、配達物を取出す際に、ドア１００の施錠や解錠の手間を省略することができる。
【００３３】
上述の実施形態は、本発明の好適な一例であるので、技術的に好ましい種々の限定が付されているが、本発明の範囲は、上述の説明によって不当に限定されるものではない。また、上述の実施形態で説明される構成の全てが本発明の必須の構成要件ではない。また、上述の実施形態で説明される構成は相互に付け足したり組み合わせたりしてもよい。
【産業上の利用可能性】
【００３４】
本発明は、ドアの施解錠システムにおいて広く利用可能である。
【符号の説明】
【００３５】
１、２  ドアの施解錠システム
１０ａ、１０ｂ  施解錠ユニット
１００、２００、２５０  ドア
３００  風除室（室）
１５０  物置室
３３０  建物
３５０、３７０  倉庫
２０ａ  マスターキー
２０ｂ  ユーザーキー
３０  ルータ
４０  端末
１１ａ、１１ｂ  ＣＰＵ
１２ａ、１２ｂ  通信部
１３ａ、１３ｂ  メモリ
１４ａ、１４ｂ  開閉駆動部
１５ａ、１５ｂ  インターフェース
４０  電源
【図１】
2020139391.tif 000003
【図２】
2020139391.tif 000004
【図３】
2020139391.tif 000005
【図４】
2020139391.tif 000006
【図５】
2020139391.tif 000007
【図６】
2020139391.tif 000008